(57)【要約】【課題】使用者が便座に着座する際に、便器の前端部の汚れが使用者の衣服や脚に付着することを防止できる便座取付式カバーを提供する。【解決手段】便座取付式カバー１は、外縁１０２ｃ及び内縁１０２ｄを有するとともに便器１０１上に配置された状態で上側を向く座面１０２ｅ及び下側を向く端縁１０２ｆを有する便座本体１０２ｇ、及び、便座本体１０２ｇに連結されるとともに端縁１０２ｆから外方に突出した脚１０２ｈであって、便座本体１０２ｇが便器１０１上に配置された状態で、便器１０１と便座本体１０２ｇとの間に空間を形成する脚１０２ｈを有する便座１０２に対して着脱可能な取付部２と、取付部２から延びる第１隠蔽部３であって、取付部２が便座１０２に取り付けられるとともに、便座１０２が便器１０１上に配置された状態で便器１０１の前端部１０１ａの前方に配置される第１隠蔽部３とを備える。【選択図】  図１
2017189370.tif 000002
【特許請求の範囲】
【請求項１】
外縁及び内縁を有するとともに便器上に配置された状態で上側を向く座面及び下側を向く端縁を有する便座本体、及び、該便座本体に連結されるとともに前記端縁よりも外方に突出した脚であって、前記便座本体が前記便器上に配置された状態で、該便器と前記便座本体との間に空間を形成する脚を有する便座に対して着脱可能な取付部と、
該取付部から延びる第１隠蔽部であって、前記取付部が前記便座に取り付けられるとともに、該便座が前記便器上に配置された状態で、該便器の前端部の前方に配置される第１隠蔽部とを備えることを特徴とする便座取付式カバー。
【請求項２】
前記取付部は、前記外縁と前記内縁との間に頂部を有する湾曲面状の前記座面を被覆可能な本体部であって、前記頂部を跨ぐことが可能な本体部と、該本体部に連結されるとともに、前記座面における前記頂部よりも前記内縁側に当接可能な当接部を含む脱落防止部とを有する、請求項１に記載の便座取付式カバー。
【請求項３】
前記取付部は、前記本体部に直接的又は間接的に連結された係止部であって、前記空間に配置可能で、且つ、前記端縁に係止可能な係止部を有する、請求項２に記載の便座取付式カバー。
【請求項４】
前記取付部は、前記本体部に直接的又は間接的に連結された第２隠蔽部であって、前記便座の前記内縁側で前記空間を被覆可能な第２隠蔽部を有する、請求項３に記載の便座取付式カバー。
【発明の詳細な説明】
【技術分野】
【０００１】
本発明は、便座に取り付ける便座取付式カバーに関する。
【背景技術】
【０００２】
洋式トイレは、開口部を有する便器と、便器上に配置される便座とを備える（例えば、特許文献１）。便座は、着座した使用者の背側（後方）に位置する後端部と、着座した使用者の前方に位置する前端部とを有する。これに伴い、便器は、開口部を画定する部分（便座が配置される部分）及びこれに連続する外表面において、便座と同じく前端部と後端部とを有する。便座の後端部は、軸線周りで回転可能な状態で便器に対して取り付けられている。これに伴い、この種の洋式トイレでは、便座を便器上に配置させた状態と便座を起立させた状態とを切り替えることができる。これにより、使用者は、便座に着座した姿勢での排泄や立った姿勢での排泄を行うことができる。
【先行技術文献】
【特許文献】
【０００３】
【特許文献１】特開２００７−２７０４９１号公報
【発明の概要】
【発明が解決しようとする課題】
【０００４】
ところで、使用者が立った姿勢で排泄を行うと、便器の前端部に、排泄物が意図せず付着することがある。さらに、この排泄物が、便器の前端部の外表面に垂れてしまい、便器の前端部の前面が汚れることもある。そのため、使用者が、便座を便器の上に配置し、着座して衣服を下げる際に、便器の前端部の汚れが衣服や脚に付着することがある。
【０００５】
本発明は、かかる実情に鑑み、使用者が便座に着座する際に、便器の前端部の汚れが使用者の衣服や脚に付着することの防止を目的とする。
【課題を解決するための手段】
【０００６】
本発明にかかる便座取付式カバーは、外縁及び内縁を有するとともに便器上に配置された状態で上側を向く座面及び下側を向く端縁を有する便座本体、及び、該便座本体に連結されるとともに前記端縁よりも外方に突出した脚であって、前記便座本体が前記便器上に配置された状態で、該便器と前記便座本体との間に空間を形成する脚を有する便座に対して着脱可能な取付部と、該取付部から延びる第１隠蔽部であって、前記取付部が前記便座に取り付けられるとともに、該便座が前記便器上に配置された状態で、該便器の前端部の前方に配置される第１隠蔽部とを備えることを特徴とする。
【０００７】
上記構成の便座取付式カバーを取り付けた便座を便器上に配置すると、第１隠蔽部は、便器の前端部の前方に配置される。そのため、使用者が着座して衣服を下げた場合に、衣服や脚と便器の前端部との間には、第１隠蔽部が存在することになる。従って、かかる構成の便座取付式カバーでは、仮に便器の前端部が汚れていても、使用者が便座に着座した際に、便器の前端部の汚れが衣服や脚に付着することを防止できる。
【０００８】
本発明にかかる便座取付式カバーの一態様として、前記取付部は、前記外縁と前記内縁との間に頂部を有する湾曲面状の前記座面を被覆可能な本体部であって、前記頂部を跨ぐことが可能な本体部と、該本体部に連結されるとともに、前記座面における前記頂部よりも前記内縁側に当接可能な当接部を含む脱落防止部とを有することが好ましい。
【０００９】
かかる構成の便座取付式カバーを便座に取り付けると、脱落防止部の当接部は、便座における頂部よりも内縁側の部分に当接することになる。そのため、取付部を脱落させるような力が取付部に作用しても、脱落防止部は座面の頂部に引っかかることになる。従って、かかる構成では、便座取付式カバーが便座から脱落することを防止できる。
【００１０】
本発明にかかる便座取付式カバーの別態様として、前記取付部は、前記本体部に直接的又は間接的に連結された係止部であって、前記空間に配置可能で、且つ、前記端縁に係止可能な係止部を有していてもよい。
【００１１】
かかる構成の便座取付式カバーを取り付けた便座を便器上に配置すると、取付部が、座面側及び端縁側の両方から、便座に取り付けられることになる。そのため、取付部を端縁側から座面側に向けて浮き上がらせるような力が取付部に作用しても、係止部が端縁に引っかかることになる。従って、かかる構成では、便座取付式カバーが便座から脱落することをさらに防止できる。
【００１２】
本発明にかかる便座取付式カバーの別態様として、前記取付部は、前記本体部に直接的又は間接的に連結された第２隠蔽部であって、前記便座の前記内縁側で前記空間を被覆可能な第２隠蔽部を有していてもよい。
【００１３】
かかる構成の便座取付式カバーを取り付けた便座を便器上に配置すると、第２隠蔽部が、便座の内縁側で便座と便器との間の空間を被覆することになる。従って、かかる構成の便座取付式カバーでは、使用者が着座して排泄を行う際、排泄物が便器の内表面で跳ね返ったとしても、排泄物がこの空間に侵入することを防止できる。
【発明の効果】
【００１４】
以上により、本発明によれば、使用者が便座に着座する際に、便器の前端部の汚れが使用者の衣服や脚に付着することを防止できる便座取付式カバーを提供することができた。
【図面の簡単な説明】
【００１５】
【図１】本発明の一実施形態にかかる便座取付式カバーが便座に取り付けられた洋式トイレの全体斜視図を示す。
【図２】同便座取付式カバー及び洋式トイレの全体側面図を示す。
【図３】同便座取付式カバー、便座、便器、及び便座取付式カバーの断面図を示す。
【図４】同便座取付式カバーの一部切り欠き斜視図と、便座及び便器の斜視図とを示す。
【図５】本発明の別の実施形態にかかる便座取付式カバー、便座、便器、及び便座取付式カバーの断面図を示す。
【図６】本発明の別の実施形態にかかる便座取付式カバー、便座、便器、及び便座取付式カバーの断面図を示す。
【図７】本発明の別の実施形態にかかる便座取付式カバー、便座、便器、及び便座取付式カバーの断面図を示す。
【図８】本発明の別の実施形態にかかる便座取付式カバー、便座、便器、及び便座取付式カバーの断面図を示す。
【図９】本発明の別の実施形態にかかる便座取付式カバー、便座、便器、及び便座取付式カバーの断面図を示す。
【図１０】本発明の別の実施形態にかかる便座取付式カバー、便座、便器、及び便座取付式カバーの断面図を示す。
【発明を実施するための形態】
【００１６】
以下、本発明の一実施形態にかかる便座取付式カバーについて、図面を参照しつつ説明する。まず、前提となる便座を含む洋式トイレについて説明する。
【００１７】
洋式トイレは、図１及び図２に示すように、開口部を有する便器１０１と、便器１０１上に配置される便座１０２と、便器１０１の開口部を閉塞する蓋１０３と、便器１０１に固定された固定部材１０４とを備える。ここでの便座１０２は、Ｏ型であるが、Ｕ型であってもよい。便座１０２は、着座した使用者の背側（後方）に位置する後端部１０２ａと、着座した使用者の前方に位置する前端部１０２ｂとを有する。また、便座１０２の後端部１０２ａは、軸線周りで回転可能な状態で固定部材１０４に対して取り付けられている。さらに、便座１０２は、外縁１０２ｃ及び内縁１０２ｄを有するとともに、便器１０１上に配置された状態で上側を向く座面１０２ｅ及び下側を向く端縁１０２ｆを有する便座本体１０２ｇと、端縁１０２ｆから外方に突出され便器１０１に配置される脚１０２ｈであって、便座本体１０２ｇが便器１０１上に配置された状態で、便器１０１と便座本体１０２ｇとの間に空間１０５を形成する脚１０２ｈとを有する。座面１０２ｅは、図３に示すように、外縁１０２ｃと内縁１０２ｄとの間に頂部１０２ｅ１を有する湾曲面状である。図１及び図２に戻って、蓋１０３は、軸線周りで回転可能な状態で固定部材１０４に対して取り付けられている。
【００１８】
便座取付式カバー１は、取付部２と、第１隠蔽部３とを備える。便座取付式カバー１の材料は、殺菌剤、滅菌剤、抗菌剤が練り込まれた弾性材料である。弾性材料として、例えば、シリコンゴムが挙げられる。殺菌剤、滅菌剤、抗菌剤として、例えば、銀イオンが挙げられる。
【００１９】
取付部２は、便座１０２の前端部１０２ｂに対して着脱可能である。取付部２は、本体部２ａと、脱落防止部２ｂと、係止部２ｃとを有する。
【００２０】
本体部２ａは、図３に示すように、座面１０２ｅにおける外縁１０２ｃから頂部１０２ｅ１までの部分を被覆可能であり、座面１０２ｅの頂部１０２ｅ１を跨ぐことが可能である。具体的には、本体部２ａの幅は、便座１０２の外縁１０２ｃから頂部１０２ｅ１までの幅よりも広い。そのため、本体部２ａが、座面１０２ｅにおける外縁１０２ｃから頂部１０２ｅ１を越えて延びることになる。以上により、取付部２が便座１０２に取り付けられると、本体部２ａは、座面１０２ｅにおける外縁１０２ｃから頂部１０２ｅ１までの部分を被覆し、座面１０２ｅの頂部１０２ｅ１を跨ぐことになる。また、本体部２ａは、座面１０２ｅと同様に湾曲している。そのため、取付部２が便座１０２に取り付けられると、ここでの本体部２ａの全体は、座面１０２ｅと接触する。なお、ここでいう「本体部２ａが、座面１０２ｅの頂部１０２ｅ１を跨ぐ」とは、本体部２ａにおける外縁１０２ｃ側で座面１０２ｅを被覆する一端部２ａ１と、本体部２ａにおける内縁１０２ｄ側で座面１０２ｅを被覆する他端部２ａ２との間に、座面１０２ｅの頂部１０２ｅ１と重なる部分が存在することを言う。
【００２１】
脱落防止部２ｂは、本体部２ａに連結されるよう形成されている。具体的には、ここでの脱落防止部２ｂは、本体部２ａと一体形成されている。また、ここでの脱落防止部２ｂは、本体部２ａと同一平面上に位置するよう形成されている。脱落防止部２ｂの全体は、座面１０２ｅにおける頂部１０２ｅ１よりも内縁１０２ｄ側に当接可能である。具体的には、脱落防止部２ｂが、本体部２ａから便座１０２の内縁１０２ｄ側に向かって延びるとともに、座面１０２ｅにおける頂部１０２ｅ１よりも内縁１０２ｄ側に延びている。また、脱落防止部２ｂは、座面１０２ｅと同様に湾曲している。そのため、取付部２が便座１０２に取り付けられると、脱落防止部２ｂの全体は、座面１０２ｅに接触する。さらに、脱落防止部２ｂの全体は、座面１０２ｅに引っかかる。以上により、取付部２が便座１０２に取り付けられると、脱落防止部２ｂの全体は、座面１０２ｅにおける頂部１０２ｅ１よりも内縁１０２ｄ側に当接する。
【００２２】
係止部２ｃは、本体部２ａに直接的に連結されるよう形成されている。具体的には、係止部２ｃは、本体部２ａにおける便座１０２の外縁１０２ｃ側で座面１０２ｅを被覆する一端部２ａ１に直接的に連結されるよう形成されている。ここでの係止部２ｃは、本体部２ａと一体形成されている。また、係止部２ｃは、空間１０５に配置可能であり、便座１０２の端縁１０２ｆに係止可能である。具体的には、係止部２ｃの厚みは、空間１０５の高さ（便座１０２の端縁１０２ｆと便器１０１の上面との最短距離）に等しい。また、取付部２が便座１０２に取り付けられると、係止部２ｃは、便器１０１及び端縁１０２ｆとそれぞれ接触するとともに、端縁１０２ｆに引っかかる。以上により、取付部２が便座１０２に取り付けられると、係止部２ｃは、空間１０５に配置され、便座１０２の端縁１０２ｆに係止される。
【００２３】
第１隠蔽部３は、取付部２から延び、便器１０１の前端部（前面）１０１ａの前方に配置される。ここでいう「便器１０１の前端部１０１ａ」とは、便器１０１のうち、着座した使用者の前方に位置する部分を言う。ここでの第１隠蔽部３は、図４に示すように、取付部２の端縁２ｄ全体から延びている。なお、ここでいう「取付部２の端縁２ｄ」とは、取付部２が便座１０２に取り付けられた状態で、取付部２の周縁における便座１０２の外縁１０２ｃを被覆する部分を言う。また、ここでの取付部２の外表面と第１隠蔽部３との外表面には段差が無い。
【００２４】
以上の通り、便座取付式カバー１は、外縁１０２ｃ及び内縁１０２ｄを有するとともに便器１０１上に配置された状態で上側を向く座面１０２ｅ及び下側を向く端縁１０２ｆを有する便座本体１０２ｇ、及び、便座本体１０２ｇに連結されるとともに端縁１０２ｆから外方に突出した脚１０２ｈであって、便座本体１０２ｇが便器１０１上に配置された状態で、便器１０１と便座本体１０２ｇとの間に空間を形成する脚１０２ｈを有する便座１０２に対して着脱可能な取付部２と、取付部２から延び、取付部２が便座１０２に取り付けられるとともに、便座１０２が便器１０１上に配置された状態で、便器１０１の前端部１０１ａの前方に配置される第１隠蔽部３とを備える。
【００２５】
一般に、洋式トイレ１００では、便座１０２を便器１０１上に配置させた状態と便座１０２を起立させた状態とを切り替えることができる。例えば、使用者が便座１０２に着座した姿勢で排泄を行う際には、使用者は、蓋１０３を起立させるとともに、便座１０２を便器１０１の上に配置する。便座取付式カバー１を取り付けた便座１０２を便器１０１上に配置すると、第１隠蔽部３が便器１０１の前端部１０１ａの前方に配置されることになる。そのため、使用者が着座して衣服を下げた場合に、衣服や脚と便器１０１の前端部１０１ａとの間には、第１隠蔽部３が存在することになる。従って、便座取付式カバー１では、仮に便器１０１の前端部１０１ａが汚れていても、使用者が便座１０２に着座した際に、便器１０１の前端部１０１ａの汚れが衣服や脚に付着することを防止できる。
【００２６】
また、取付部２は、外縁１０２ｃと内縁１０２ｄとの間に頂部１０２ｅ１を有する湾曲面状の座面１０２ｅを被覆可能な本体部２ａであって、頂部１０２ｅ１を跨ぐことが可能な本体部２ａと、本体部２ａに連結されるとともに、座面１０２ｅにおける頂部１０２ｅ１よりも内縁１０２ｄ側に当接可能な脱落防止部２ｂとを有する。
【００２７】
かかる構成によれば、便座取付式カバー１を便座１０２に取り付けると、脱落防止部２ｂは、座面１０２ｅにおける頂部１０２ｅ１よりも内縁１０２ｄ側に当接することになる。そのため、取付部２を脱落させるような力が取付部２に作用しても、脱落防止部２ｂは座面１０２ｅの頂部１０２ｅ１に引っかかることになる。従って、かかる構成では、便座取付式カバー１が便座１０２から脱落することを防止できる。
【００２８】
さらに、取付部２は、本体部２ａにおける便座１０２の外縁１０２ｃ側に対応する部分で、本体部２ａに直接的に連結された係止部２ｃであって、空間１０５に配置可能で、且つ、便座１０２の端縁１０２ｆに係止可能な係止部２ｃを有する。
【００２９】
かかる構成によれば、便座取付式カバー１を取り付けた便座１０２を便器１０１上に配置すると、取付部２が、座面１０２ｅ側及び端縁１０２ｆ側の両方から、便座１０２に取り付けられることになる。そのため、取付部２を端縁１０２ｆ側から座面１０２ｅ側に向けて浮き上がらせるような力が取付部２に作用しても、係止部２ｃが端縁１０２ｆに引っかかることになる。従って、かかる構成では、便座取付式カバー１が便座１０２から脱落することをさらに防止できる。
【００３０】
便座取付式カバー１は、便座１０２に対して着脱可能である。そのため、便座取付式カバー１が汚れた場合には、これを取り外して水洗い等により洗浄することができる。従って、便座取付式カバー１を清潔に保つことができる。
【００３１】
便座取付式カバー１は、弾性材料で構成されている。そのため、取付部２の便座１０２への取り付けのためには、取付部２を便座１０２に嵌め込むだけでよく、締結部材等が必要ない。従って、便座取付式カバー１の便座１０２に対する取り付けは簡便である。
【００３２】
さらに、便座取付式カバー１を構成する弾性材料には、殺菌剤、滅菌剤、抗菌剤が練りこまれている。そのため、仮に便座取付式カバー１に雑菌が付着しても、便座取付式カバー１の表面に雑菌が繁殖することを抑制できる。従って、便座取付式カバー１を清潔に保つことができる。
【００３３】
なお、本発明にかかる便座取付式カバーは、上記実施形態の構成に限定されるものではなく、本発明の要旨を逸脱しない範囲で種々の変更が可能である。
【００３４】
上記実施形態では、脱落防止部２ｂの全体が、座面１０２ｅに当接可能であったが、これに限定されない。例えば、図５に示すように、脱落防止部１２ｂの一部である当接部１２ｂ１が、座面１０２ｅに当接可能であってもよい。すなわち、脱落防止部１２ｂが、座面１０２ｅにおける頂部１０２ｅ１よりも内縁１０２ｄ側に当接可能な当接部１２ｂ１を含んでもよい。具体的には、脱落防止部１２ｂが座面１０２ｅと異なる形状で湾曲するとともに、取付部１２を便座１０２に取り付ける際に、当接部１２ｂ１が座面１０２ｅに接触し引っかかっていてもよい。以上により、取付部１２を便座１０２に取り付けると、脱落防止部１２ｂのうち当接部１２ｂ１が、座面１０２ｅに当接するとともに、脱落防止部１２ｂのうち当接部１２ｂ１を除く部分が、座面１０２ｅに接触していなくてもよい。かかる構成であっても、便座取付式カバー１１を便座１０２に取り付けると、取付部１２を脱落させるような力が取付部１２に作用しても、脱落防止部１２ｂが、座面１０２ｅの頂部１０２ｅ１に引っかかることになる。従って、便座取付式カバー１１が便座１０２から脱落することを防止することができる。
【００３５】
上記実施形態では、取付部２が本体部２ａと脱落防止部２ｂと係止部２ｃとを有していたが、これに限定されない。例えば、図６に示すように、取付部２２が、本体部２２ａと脱落防止部２２ｂと係止部２２ｃとに加えて、脱落防止部２２ｂと連結された第２隠蔽部２２ｅであって、便座１０２の内縁１０２ｄ側で空間１０５を被覆可能な第２隠蔽部２２ｅを有していてもよい。具体的には、取付部２２を便座１０２に取り付けると、第２隠蔽部２２ｅが、空間１０５における便座１０２の内縁１０２ｄから便器１０１の上面までの領域を被覆するように延びていてもよい。以上により、取付部２２が便座１０２に取り付けられた際に、第２隠蔽部２２ｅは、便座１０２の内縁１０２ｄ側で空間１０４を被覆してもよい。また、第２隠蔽部２２ｅは、脱落防止部２２ｂを介して、本体部２２ａにおける便座１０２の内縁１０２ｄ側で座面１０２ｅを被覆する端部２２ａ１に間接的に連結されてもよい。かかる構成では、便座取付式カバー２１を便座１０２に取り付けると、第２隠蔽部２２ｅが、便座１０２の内縁１０２ｄ側で便座１０２と便器１０１との間の空間１０５を被覆することになる。従って、かかる構成の便座取付式カバー２１では、使用者が着座して排泄を行う際、排泄物が便器１０１の内表面で跳ね返ったとしても、排泄物がこの空間１０５に侵入することを防止できる。
【００３６】
上記実施形態では、取付部２が本体部２ａと脱落防止部２ｂと係止部２ｃとを有していたが、これに限定されない。例えば、図７に示すように、取付部３２が、本体部３２ａと、脱落防止部３２ｂとで構成されてもよい。かかる構成であっても、便座取付式カバー３１を便座１０２に取り付けた状態において、便座取付式カバー３１が便座１０２から脱落することを防止できる。
【００３７】
上記実施の形態では、係止部２ｃが本体部２ａにおける便座１０２の外縁１０２ｃ側で座面１０２ｅを被覆する端部に直接的に連結されていたが、これに限定されない。例えば、図８に示すように、取付部４２を便座１０２に取り付けた状態において、係止部４２ｃは、本体部４２ａにおける便座１０２の内縁１０２ｄ側で座面１０２ｅを被覆する端部４２ａ１に間接的に連結されてもよい。具体的には、係止部４２ｃは、脱落防止部４２ｂ及び第２隠蔽部４２ｅを介して、本体部４２ａにおける便座１０２の内縁１０２ｄ側で座面１０２ｅを被覆する端部４２ａ１に間接的に連結されてもよい。かかる構成であっても、便座取付式カバー４１を便座１０２に取り付けた状態において、便座取付式カバー４１が便座１０２から脱落することを防止できる。
【００３８】
上記実施形態では、脱落防止部２ｂは、本体部２ａと同一平面上に位置するように形成されていたが、これに限定されない。例えば、図９に示すように、脱落防止部５２ｂは、本体部５２ａから延びるリブ状の部材として構成されていてもよい。脱落防止部５２ｂは、本体部５２ａにおける便座１０２の内縁１０２ｄ側で座面１０２ｅを被覆する端部５２ａ１の延びる方向と垂直な方向に延びていてもよい。また、取付部５２を便座１０２に取り付けた状態において、脱落防止部５２ｂは、座面１０２ｅに当接する当接部５２ｂ１を含んでもよい。かかる構成であっても、便座取付式カバー５１が便座１０２から脱落することを防止できる。なお、リブ状の脱落防止部５２ｂの延びる方向は、本体部５２ａの端部５２ａ１の延びる方向と垂直な方向に限定されず、本体部５２ａの端部５２ａ１の延びる方向と交差する方向であればよい。
【００３９】
上記実施形態では、取付部２の外表面と第１隠蔽部３の外表面とに段差が無かったが、これに限定されない。例えば、図１０に示すように、取付部６２の外表面と第１隠蔽部６３の外表面とに段差が存在していてもよい。また、便座取付式カバー６１を便座１０２に取り付けた状態で、第１隠蔽部６３の外表面は、取付部６２の外表面よりも、便座１０２から遠ざかる方向に張り出していてもよい。かかる構成では、便座１０２の便器１０１への取り付けがゆるみ、便座１０２が便器１０１の後端部（図示なし）側に後退したとしても、取付部６２を便座１０２に取り付けた状態で、第１隠蔽部６３が便器１０１の前端部１０１ａに引っかかることがない。このように、第１隠蔽部６３が便器１０１の前端部１０１ａに引っかかることを防止することで、取付部６２を便座１０２に取り付けた状態で、第１隠蔽部６３が変形することを防止できる。その結果、かかる構成では、便座取付式カバー６１を便座１０２に取り付けた状態で、便座１０２の便器１０１への取り付けがゆるんだとしても、第１隠蔽部６３は、便器１０１の前端部１０１ａの前方に安定的に配置される。
【００４０】
上記実施形態では、取付部２における本体部２ａと脱落防止部２ｂとを一体形成していたが、これに限定されず、別体で形成してもよい。
【００４１】
上記実施形態では、第１隠蔽部３は、取付部２の端縁２ｄの全体から延びていたが、これに限定されず、取付部２の端縁２ｄの一部から延びていてもよい。
【００４２】
上記実施形態では、第２隠蔽部２２ｅは、脱落防止部２２ｂを介して本体部２２ａに間接的に連結されていが、これに限定されず、第２隠蔽部２２ｅが本体部２２ａに直接的に連結されていてもよい。
【００４３】
上記実施形態では、便座取付式カバー１は弾性材料で構成されていたが、これに限定されず、便座取付式カバー１は非弾性材料で構成されていてもよい。
【００４４】
上記実施形態では、取付部２の便座１０２への取り付けは、弾性材料で構成される取付部２を便座１０２に嵌め込むことで実現されていたが、これに限定されない。例えば、取付部２と便座１０２とを螺子止めで固定することにより、取付部２を便座１０２に取り付けてもよい。また、便座本体１０２ｇの座面１０２ｅ上に粘着テープを貼り付け、粘着テープ上に取付部２を載置することで、取付部２を便座１０２に取り付けてもよい。
【００４５】
上記実施形態では、便座取付式カバー１を清潔に保つために、便座取付式カバー１を弾性材料に殺菌剤や滅菌剤を練り込んだ弾性材料で構成していたが、これに限定されない。例えば、殺菌剤、滅菌剤、抗菌剤を練り込まない弾性材料で便座取付式カバー１を形成し、さらに、殺菌剤や滅菌剤や抗菌剤を含む樹脂材料により便座取付式カバー１の表面をコーティングしてもよい。かかる構成によっても、便座取付式カバー１を清潔に保つことができる。
【符号の説明】
【００４６】
１…便座取付式カバー、２…取付部、２ａ…本体部、２ｂ…脱落防止部、２ｃ…係止部、３…第１隠蔽部、１００…洋式トイレ、１０１…便器、１０１ａ…前端部、１０２…便座、１０２ａ…後端部、１０２ｂ…前端部、１０２ｃ…外縁、１０２ｄ…内縁、１０２ｅ…座面、１０２ｆ…端縁、１０２ｈ…脚、１０３…蓋
【図１】
2017189370.tif 000003
【図２】
2017189370.tif 000004
【図３】
2017189370.tif 000005
【図４】
2017189370.tif 000006
【図５】
2017189370.tif 000007
【図６】
2017189370.tif 000008
【図７】
2017189370.tif 000009
【図８】
2017189370.tif 000010
【図９】
2017189370.tif 000011
【図１０】
2017189370.tif 000012